(57)【要約】【課題】  複数の空調負荷の合計使用電力量を制御するデマンド制御装置（10）を備えた空調システム（1）において、デマンド制御中の快適性を高める。【解決手段】  空調システム（1）に、冷媒回路を備えて主に室内の顕熱負荷を処理する空調装置（20）と、吸着部材（32,33）を備えて主に室内の潜熱負荷を処理する調湿装置（30）とを設け、複数のデマンド制御レベルに応じて、空調装置（20）を構成する冷媒回路の蒸発温度を制御しながら、調湿装置（30）による室内の湿度の調節を行う。【選択図】  図２
2006329468.tif 000002
【特許請求の範囲】
【請求項１】
複数の空調負荷の合計使用電力量を制御するデマンド制御装置（10）を備えた空調システムであって、
冷媒回路を備えて主に室内の顕熱負荷を処理する空調装置（20）と、吸着部材（32，33）を備えて主に室内の潜熱負荷を処理する調湿装置（30）とを備え、
上記デマンド制御装置（10）は、複数のデマンド制御レベルに応じて、空調装置（20）を構成する冷媒回路の蒸発温度を制御するように構成されていることを特徴とする空調システム。
【請求項２】
請求項１において、
デマンド制御装置（10）は、デマンド制御レベルが高くなるほど空調装置（20）の能力を低下させる制御を行うように構成されていることを特徴とする空調システム。
【請求項３】
請求項１または２において、
デマンド制御装置（10）は、デマンド制御中に、設定温度または室内温度に基づいて、所定の相対湿度が得られるように調湿装置（30）の運転制御を行うように構成されていることを特徴とする空調システム。
【請求項４】
請求項１から３の何れか１つにおいて、
デマンド制御装置（10）は、デマンド制御レベルが最大レベルになると、空調装置（20）をサーモオフ運転モードに設定するように構成されていることを特徴とする空調システム。
【請求項５】
請求項１から４の何れか１つにおいて、
調湿装置（30）が換気運転モードの可能な調湿装置（30）により構成され、
デマンド制御装置（10）は、デマンド制御レベルが最大レベルになると、調湿装置（30）を換気運転モードに設定するように構成されていることを特徴とする空調システム。
【請求項６】
請求項１から５の何れか１つにおいて、
調湿装置（30）は、表面に吸着剤が担持された第１吸着熱交換器（32）及び第２吸着熱交換器（33）を有する冷媒回路と、室外空気が室内へ向かう第１の空気通路と、室内空気が室外へ向かう第２の空気通路とを備え、
上記冷媒回路は、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換え可能に構成され、
上記両空気通路は、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換え可能に構成されていることを特徴とする空調システム。
【発明の詳細な説明】
【技術分野】
【０００１】
本発明は、複数の空調負荷の合計使用電力量を制御するデマンド制御装置を備えた空調システムに関するものである。
【背景技術】
【０００２】
従来より、ビルなどの設備において省エネルギー化を図る装置として、ピーク電力が一定の枠を越えないように負荷の制御をするデマンド制御装置がある（例えば、特許文献１参照）。デマンド制御装置は、一般に、ある一定時間（一般には３０分）に使用される平均電力が、電力会社との間で定められた契約電力を越えないように負荷機器の運転を制御するもので、契約電力を越えそうな場合に負荷のピークカット指令を出す働きをして、ビル内の部屋ごとに空調装置（ビル用のマルチタイプの空調装置）や照明器具の能力制御を行う。
【０００３】
特許文献１のデマンド制御装置を備えた空調システムでは、空調負荷を、デマンド制御の対象とする第１負荷（会議室、事務所、来客室などに設置された空調装置）と、デマンド制御の対象にせずに省エネ制御を行う第２負荷（社長室、役員室、応接室などに設置された空調装置）とに区分して、制御を行うようにしている。第１負荷については、デマンド制御の制御レベルを８段階に設定するとともに、部屋ごとに制御の優先順位を定めている。そして、制御時点のデマンド（現在デマンド）から予測される単位時間の使用電力量に基づいてデマンド制御レベルを判定し、部屋ごとの優先順位に従って制御を行う。
【０００４】
具体的には、図４の表に示すように、デマンド制御レベルが低い場合（レベル１，２の場合）には、空調装置の室外機の能力制御（例えば圧縮機の能力を７０％に落とす制御）や室内機の運転台数制御を行い、デマンド制御レベルが少し高くなる（レベル３，４になる）と、室外機の能力をさらに（例えば４０％に）抑えながら室内機の運転台数制御を行う。また、デマンド制御レベルがなおも高くなる（レベル５〜７になる）と、部屋によっては室内機のオンオフ制御による設定温度のシフトも行い、最もデマンド制御レベルが高くなる（レベル８になる）と、室外機を停止して全部屋で強制サーモオフとして送風運転のみを行う。このように、特許文献１の空調システムでは、デマンド制御レベルが高くなるほど、強い電力抑制が行われる。
【０００５】
なお、この特許文献１の装置では、第２負荷については、消費電力の推移にかかわらず、運転状態が実質的に変化をしない程度に消費電力を低減する運転を行うようになっている。
【特許文献１】特開２００２−１４２３６０号公報
【発明の開示】
【発明が解決しようとする課題】
【０００６】
上記の空調システムでは、図５の表に示すように、デマンド制御レベル（電力の予想超過量）が低いときは、目標とする空調能力を概ね達成することができるものの、デマンド制御レベルが高くなると、目標電力を厳守するために快適性が犠牲になってしまう。
【０００７】
特に、ビル用のマルチタイプの空調装置は、一般に湿度制御が成り行きで行われるため、夏期に室内機のオンオフ制御による設定温度シフトを行うと湿度も大幅に上昇し、快適性が著しく低下する。
【０００８】
本発明は、かかる点に鑑みてなされたものであり、その目的は、複数の空調負荷の合計使用電力量を制御するデマンド制御装置を備えた空調システムにおいて、デマンド制御中の快適性を高めることである。
【課題を解決するための手段】
【０００９】
第１の発明は、複数の空調負荷の合計使用電力量を制御するデマンド制御装置（10）を備えた空調システムを前提としている。そして、この空調システムは、冷媒回路を備えて主に室内の顕熱負荷を処理する空調装置（20）と、吸着部材（32，33）を備えて主に室内の潜熱負荷を処理する調湿装置（30）とを備え、上記デマンド制御装置（10）が、複数のデマンド制御レベルに応じて冷媒回路の蒸発温度を制御するように構成されていることを特徴としている。
【００１０】
この第１の発明では、室内の顕熱負荷が空調装置（20）で処理され、潜熱負荷が調湿装置（30）で処理される。そして、デマンド制御中には、デマンド制御レベルに応じて冷媒回路の蒸発温度が制御される。例えば、冷房運転時は、デマンド制御レベルが高くなるほど、蒸発温度を高めに設定することにより、消費電力量を抑える制御が行われる。一方、本発明では、このデマンド制御中も室内の潜熱負荷は調湿装置（30）により処理することができる。したがって、室内の湿度の上昇が抑えられる。
【００１１】
第２の発明は、第１の発明において、デマンド制御装置（10）が、デマンド制御レベルが高くなるほど空調装置（20）の能力を低下させる制御を行うように構成されていることを特徴としている。この場合、例えばデマンド制御レベルが１段階上がるごとに、空調装置（20）における冷媒回路の蒸発温度を高くする制御と空調装置（20）の能力を低下させる制御の両方を行う必要はなく、デマンド制御レベルの１段階の変化の際に、空調装置（20）の能力は保ったまま蒸発温度のみを上昇させたり、逆に蒸発温度は保ったまま空調装置（20）の能力だけを低下させたりしてもよい。
【００１２】
この第２の発明では、デマンド制御レベルが高くなると、例えば可変容量圧縮機の運転容量を小さくすることにより、空調装置（20）の能力を低下させて、消費電力量を少なくする制御が行われる。一方、このデマンド制御中も室内の潜熱負荷は調湿装置（30）により処理できるので、室内の湿度が上昇するのは抑えられる。
【００１３】
第３の発明は、第１または第２の発明において、デマンド制御装置（10）が、デマンド制御中に、設定温度または室内温度に基づいて、所定の相対湿度が得られるように調湿装置（30）の運転制御を行うように構成されていることを特徴としている。
【００１４】
この第３の発明では、デマンド制御中には、室内の設定温度または実際の室内温度に基づいて、所定の相対湿度が得られるように調湿装置（30）の運転制御が行われる。例えば、室内の設定温度と実際の室内温度のうち、高い方の温度に基づいて、所定の相対湿度が得られるような運転制御が行われる。こうすると、室内の温度は上昇しても、室内の湿度が上昇するのは抑えられる。
【００１５】
第４の発明は、第１から第３の発明の何れか１つにおいて、デマンド制御装置（10）が、デマンド制御レベルが最大レベルになると、空調装置（20）をサーモオフ運転モードに設定するように構成されていることを特徴としている。ここで、サーモオフ運転モードは、空調装置（20）の冷媒回路を停止させ、送風のみを行う運転のことである。
【００１６】
この第４の発明では、デマンド制御レベルが最大レベルになると、デマンド制御装置（10）により、空調装置（20）が強制的にサーモオフ運転モードに設定される。こうすることにより、消費電力量が増えるのをより確実に抑えることができる。また、デマンド制御レベルが最大レベルのときでも、調湿装置（30）で室内の潜熱負荷を処理することは可能である。したがって、この場合も室内の湿度が上昇するのを抑えることはできる。
【００１７】
第５の発明は、第１から第４の発明の何れか１つにおいて、調湿装置（30）が換気運転モードの可能な調湿装置（30）により構成され、デマンド制御装置（10）が、デマンド制御レベルが最大レベルになると、調湿装置（30）を換気運転モードに設定するように構成されていることを特徴としている。
【００１８】
この第５の発明では、デマンド制御レベルが最大レベルになると、デマンド制御装置（10）により、調湿装置（30）が換気運転モードに設定される。換気のみを行うモードでは、湿度調節の制御が不要になるため、制御を簡単にすることができ、消費電力量を抑えられる。
【００１９】
第６の発明は、第１から第５の発明の何れか１つにおいて、調湿装置（30）が、表面に吸着剤が担持された第１吸着熱交換器（32）及び第２吸着熱交換器（33）を有する冷媒回路と、室外空気が室内へ向かう第１の空気通路と、室内空気が室外へ向かう第２の空気通路とを備え、上記冷媒回路が、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換え可能に構成され、上記両空気通路が、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換え可能に構成されていることを特徴としている。
【００２０】
この第６の発明では、蒸発器となる吸着熱交換器（32，33）の吸着剤で空気中の水分を吸着して該空気を減湿し、凝縮器となる吸着熱交換器（33，32）で水分を吸着剤から空気中に放出して該吸着剤を再生することができる。したがって、例えば、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定すれば、室外空気を減湿して室内へ供給する除湿運転を連続して行うことができる。
【発明の効果】
【００２１】
本発明によれば、室内の顕熱負荷と潜熱負荷を空調装置（20）と調湿装置（30）で別々に処理するシステムにおいて、デマンド制御中には冷媒回路の蒸発温度を制御することで使用電力量を抑えるようにしており、このときにも室内の潜熱負荷は調湿装置（30）により処理することができる。したがって、室内の温度は上昇しても湿度の上昇を抑えることができるため、体感温度の上昇を抑えることができ、デマンド制御中の快適性を従来よりも高める（実際の温度よりも涼しく感じるようにする）ことが可能となる。
【００２２】
上記第２の発明によれば、デマンド制御レベルが高くなるほど、空調装置（20）の能力を低下させる制御を行うようにしているので、消費電力量の増加をより確実に抑えることが可能となる。また、このデマンド制御中も室内の潜熱負荷を調湿装置（30）で処理できるため、室内の湿度の上昇を抑えて、快適性を従来よりも高めることが可能となる。
【００２３】
上記第３の発明によれば、デマンド制御中には、室内の設定温度または実際の室内温度に基づいて、所定の相対湿度が得られるように調湿装置（30）の運転制御が行われるので、室内の湿度の上昇を確実に抑えることができる。したがって、第１，第２の発明と同様に室内の快適性を従来よりも高めることが可能となる。
【００２４】
上記第４の発明によれば、デマンド制御レベルが最大レベルになると、空調装置（20）が強制的にサーモオフ運転モードに設定されるので、より確実に消費電力量の増大を抑えることができる。また、このときにも調湿装置（30）は運転を継続することが可能であるため、室内の快適性が大幅に低下することはない。
【００２５】
上記第５の発明によれば、デマンド制御レベルが最大レベルになると、調湿装置（30）が換気運転モードに設定される。換気のみを行うモードでは湿度調節の制御が不要であるため、制御を簡単にすることができ、消費電力量を抑えられる。また、空調装置（20）が停止しているときでも換気を継続することにより、室内の湿度が上昇しすぎることを防止できる。
【００２６】
上記第６の発明によれば、調湿装置（30）を、２つの吸着熱交換器（32，33）を有する冷媒回路と、室外空気が室内へ向かう第１の空気通路と、室内空気が室外へ向かう第２の空気通路とを備えた構成にするとともに、冷媒回路を第１の冷媒流通状態と第２の冷媒流通状態とに切り換え可能に構成し、両空気通路を第１の空気流通状態と第２の空気流通状態とに切り換え可能に構成している。したがって、例えば、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定することにより、室外空気を減湿して室内へ供給する除湿運転を連続して行うことができ、この運転を空調装置（20）の冷媒回路における蒸発温度制御と同時に行うことにより、室内の快適性が低下するのを抑えることができる。
【発明を実施するための最良の形態】
【００２７】
以下、本発明の実施形態を図面に基づいて詳細に説明する。
【００２８】
図１に示すこの実施形態の空調システム（1）は、複数の空調負荷の合計使用電力量を制御するデマンド制御装置（10）を備えた空調システム（1）であって、主に室内の顕熱負荷を処理する空調装置（20）と、主に室内の潜熱負荷を処理する調湿装置（30）とを備えている。つまり、この空調システム（1）は、室内の顕熱負荷と潜熱負荷を別々に処理するシステムに構成されている。
【００２９】
空調装置（20）は、図示していないが蒸気圧縮式の冷凍サイクルを行う冷媒回路を備えている。この空調装置（20）は、図２に示すように、１台の室外機（21）に対して複数台の室内機（22）が接続された、いわゆるビル用マルチタイプの空調装置（20）である。
【００３０】
図２には、調湿装置（30）を、内部構造を表した状態の斜視図で示している。この調湿装置（30）は、換気運転モードの可能な調湿装置（30）であり、ケーシング（31）内に収納された２つの吸着部材（32，33）を有している。各吸着部材（32，33）は、空調装置（20）とは別の冷媒回路が有する２つの熱交換器（32，33）により構成されている。各吸着部材（32，33）は、具体的には、クロスフィン型のフィン・アンド・チューブ熱交換器の表面に吸着剤が担持されたもの（以下、第１吸着熱交換器（32）及び第２吸着熱交換器（33）という）により構成されている。
【００３１】
この調湿装置（30）の冷媒回路は、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換えることが可能に構成されている。蒸発器となる吸着熱交換器（32，33）では、空気中の水分が吸着剤に吸着されることにより該空気が減湿され、凝縮器となる吸着熱交換器（33，32）では、吸着剤から空気中へ水分が放出されることにより該吸着剤が再生される。
【００３２】
上記調湿装置（30）は、詳細は図示していないが、ケーシング（31）内に、室外空気が室内へ向かう第１の空気通路と、室内空気が室外へ向かう第２の空気通路とを備えている。そして、両空気通路は、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換えることができるように構成されている。
【００３３】
以上の構成により、この調湿装置（30）では、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定すれば、室外空気を減湿して室内へ供給する除湿運転を連続して行うことができる。
【００３４】
デマンド制御装置（10）は、単位時間（一般に３０分）ごとに現在デマンドから予測される使用電力量に基づいてデマンド制御レベルを判定し、デマンド制御を行うものである。デマンド制御は、外気温度、外気湿度、室内温度、室内湿度、及び各部屋の条件によって定められる室内環境変数に基づいて、デマンド制御装置（10）で室内の顕熱負荷と潜熱負荷を算出し、空調装置（20）と調湿装置（30）を個別に制御することで行われる。なお、デマンド制御の際には、部屋別に優先順位を設けておいてもよい。
【００３５】
次に、デマンド制御の具体的な内容について説明する。
【００３６】
図２に示すように、上記デマンド制御装置（10）では、８段階のデマンド制御レベルが設定されている。そして、この８段階のデマンド制御レベルに応じて、空調装置（20）における冷媒回路の蒸発温度制御を行うように構成されている。詳しくは、デマンド制御を行わないときには蒸発温度を最低３℃に設定して運転を行うのに対して、デマンド制御レベルが１〜７の間は、デマンド制御レベルが高くなるほど蒸発温度を段階的に高くする制御を行う。また、デマンド制御レベルが最大のレベル８になると、空調装置（20）の冷媒回路を停止して、サーモオフ運転モード（送風運転モード）に設定する。
【００３７】
デマンド制御中、空調装置（20）に関しては、上記の蒸発温度制御に加えて、室外機（21）の能力制御も行う。具体的には、デマンド制御装置（10）は、デマンド制御レベルが高くなるほど空調装置（20）の室外機（21）の能力（可変容量圧縮機の運転容量）を低下させる制御を行う。図の例では、レベル１〜レベル５までは１００％の能力で運転を行う一方、レベル６では７０％、レベル７では４０％、そしてレベル８では０％に能力を制御するようにしている。
【００３８】
なお、図２の例では、例えばデマンド制御レベルがレベル５からレベル６へ移行するときに、冷媒回路の蒸発温度を１６℃から１８℃に上げる制御と室外機（21）の能力を１００％から７０％に低下させる制御の両方を行うようにしているが、その中間のレベルとして、蒸発温度は１６℃のままで室外機（21）の能力を７０％に落とす制御レベルを設けたり、逆にレベル１〜レベル５の間での制御レベルの移行時のように、室外機（21）の能力は１００％のままで蒸発温度を１８℃に上げる制御レベルを設けたりしてもよい。このことは、レベル６からレベル７への移行時などでも同様である。
【００３９】
調湿装置（30）は、デマンド制御を行わないときは、設定温度に対して室内の相対湿度を６０％にすることを目標として制御される。この制御は、調湿装置（30）の冷媒回路及び空気通路の切り換え時間の間隔を制御することにより実施できる。その理由は、吸着剤は吸着の初期段階では水分の吸着量が多く、時間が経つにつれて吸着量が減ってくる特性を有するため、上記の切り換えの時間間隔を短くすると吸着量の多い状態を維持して潜熱処理能力を高くすることができるからである。逆に言うと、上記の切り換えの時間間隔を長くすると潜熱処理能力を落とすこともできる。
【００４０】
上記調湿装置（30）は、デマンド制御のレベル１〜レベル７の間は、室内の設定温度と実際の室内温度（検出温度）のうち、高い方の温度で６０％の相対湿度が得られるように制御される。これは、室内温度が上昇しても湿度の上昇を抑えて快適性の低下を抑制するためである。この制御のため、調湿装置（30）における冷媒回路の蒸発温度や、空気通路の風量など、種々の運転条件が制御される。一方、デマンド制御レベルが最大のレベル８になると、調湿装置（30）の冷媒回路を停止し、換気運転モードでの運転が行われる。
【００４１】
このように、本実施形態の空調システム（1）の運転時には、デマンド制御装置（10）により、空調装置（20）と調湿装置（30）を別々に制御して、室内の顕熱負荷と潜熱負荷とが処理される。そして、現在デマンドにより予測される単位時間あたりの使用電力量に基づいてデマンド制御が行われるときには、そのデマンド制御レベルに応じて、空調装置（20）についての蒸発温度制御及び室外機能力制御と、調湿装置（30）についての目標湿度制御とが行われて、使用電力量を契約電力の範囲内に抑えながら快適性の維持が図られる。
【００４２】
特に、デマンド制御レベルが比較的低いとき（レベル１〜レベル５）には、空調装置（20）については蒸発温度制御のみが行われ、調湿装置（30）については目標湿度制御が行われる。したがって、室内温度は上昇しても湿度の上昇は抑えられるので、体感温度の上昇を抑えることで快適性の低下を抑制できる。
【００４３】
また、デマンド制御レベルが高くなったとき（レベル６〜レベル７）には、同時に室外機の能力制御も行われ、デマンド制御レベルが最大（レベル８）になったときには、空調装置（20）がサーモオフ運転モードになるとともに調湿装置（30）が換気運転モードになるので、電力使用量を確実に契約電力の範囲内に抑えられる。
【００４４】
−実施形態の効果−
以上説明したように、本実施形態によれば、室内の顕熱負荷と潜熱負荷を空調装置（20）と調湿装置（30）で別々に処理するシステムにおいて、デマンド制御中には、基本的に、冷媒回路の蒸発温度を制御することで使用電力量を抑えるようにしている。そして、このときにも室内の潜熱負荷の処理は調湿装置（30）により継続することができる。したがって、室内の温度は上昇しても湿度の上昇を抑えることができるため、図３の表に示すように、デマンド制御中の快適性が低下するのを抑えることができる。
【００４５】
また、デマンド制御レベルが高くなると、空調装置（20）の能力を低下させる制御を行うようにしているので、消費電力量の増加を確実に抑えることが可能となる。
【００４６】
さらに、このデマンド制御中には、室内の設定温度または実際の室内温度のうち、高い方の温度に基づいて、相対湿度が６０％になるように調湿装置（30）の運転制御が行われるので、室内の湿度の上昇を確実に抑えて快適性の維持を図ることができる。
【００４７】
また、デマンド制御レベルが最大レベルになると、空調装置（20）が強制的にサーモオフ運転モードに設定されるので、より確実に消費電力量の増大を抑えることができる。このときは、調湿装置（30）が換気運転モードに設定され、湿度調節のための制御が不要になるため、さらに消費電力量を抑えられるし、図３の表に示すように快適性の低下も抑えることができる。
【００４８】
《その他の実施形態》
上記実施形態については、以下のような構成としてもよい。
【００４９】
例えば、上記実施形態では、空調装置（20）を１台の室外機（21）と複数台の室内機（22）とからなるマルチタイプに構成しているが、空調装置（20）はマルチタイプに限らず、１台の室外機（21）と１台の室内機（22）とからなる、いわゆるペア機タイプであってもよい。
【００５０】
また、調湿装置（30）は、吸着部材（32，33）を冷却器（蒸発器）と加熱器（凝縮器）の機能も有する吸着熱交換器（32，33）で構成したタイプについて説明したが、吸着部材と冷却器及び加熱器を別々に設けたタイプのものであってもよい。さらに、調湿装置（30）は、吸着部材（32，33）としてペルチェ効果素子の表面と裏面に吸着剤を塗布したものを用い、ＤＣ電源の極性をプラスとマイナスに交互に切り換えることによって上記吸着剤で水分の吸脱着を行うタイプであってもよい。
【００５１】
また、上記実施形態では、デマンド制御レベルが最大のレベル８のときには調湿装置（30）を換気運転モードに設定するようにしているが、このレベル８のときにも、レベル１〜レベル７と同様に、室内の設定温度または実際の室内温度のうち、高い方の温度に基づいて、相対湿度が６０％になるように調湿装置（30）の運転制御を行うようにしてもよい。そうすることにより、室内の快適性を重視した運転を行うことができる。
【００５２】
その他にも、上記実施形態で説明したデマンド制御中における各制御レベルの具体的な制御内容は単なる例示であり、例えば、空調装置（20）についての蒸発温度制御の設定値や、室外機（21）の能力制御の設定値や、調湿装置（30）についての相対湿度の設定値などは、適宜変更してもよい。
【００５３】
なお、以上の実施形態は、本質的に好ましい例示であって、本発明、その適用物、あるいはその用途の範囲を制限することを意図するものではない。
【産業上の利用可能性】
【００５４】
以上説明したように、本発明は、複数の空調負荷の合計使用電力量を制御するデマンド制御装置を備えた空調システムについて有用である。
【図面の簡単な説明】
【００５５】
【図１】本発明の実施形態に係る空調システムの構成図である。
【図２】図１の空調システムにおける空調装置と調湿装置の運転制御を各デマンド制御レベルについて示した表である。
【図３】図１の空調システムにおけるデマンド制御レベルと快適性との関係を示す表である。
【図４】従来の空調システムにおける空調装置と調湿装置の運転制御を各デマンド制御レベルについて示した表である。
【図５】従来の空調システムにおけるデマンド制御レベルと快適性との関係を示す表である。
【符号の説明】
【００５６】
1   空調システム
10  デマンド制御装置
20  空調装置
30  調湿装置
32  第１吸着熱交換器（吸着部材）
33  第２吸着熱交換器（吸着部材）
【図１】
2006329468.tif 000003
【図２】
2006329468.tif 000004
【図３】
2006329468.tif 000005
【図４】
2006329468.tif 000006
【図５】
2006329468.tif 000007
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
複数の空調負荷の合計使用電力量を制御するデマンド制御装置（10）を備えた空調システムであって、
冷媒回路を備えて主に室内の顕熱負荷を処理する空調装置（20）と、吸着部材（32，33）を備えて主に室内の潜熱負荷を処理する調湿装置（30）とを備え、
上記デマンド制御装置（10）は、複数のデマンド制御レベルに応じて、空調装置（20）を構成する冷媒回路の蒸発温度を制御するように構成され、
デマンド制御装置（10）は、デマンド制御中に、設定温度または室内温度に基づいて、所定の相対湿度が得られるように調湿装置（30）の運転制御を行うように構成されていることを特徴とする空調システム。
【請求項２】
複数の空調負荷の合計使用電力量を制御するデマンド制御装置（10）を備えた空調システムであって、
冷媒回路を備えて主に室内の顕熱負荷を処理する空調装置（20）と、吸着部材（32，33）を備えて主に室内の潜熱負荷を処理する調湿装置（30）とを備え、
上記デマンド制御装置（10）は、複数のデマンド制御レベルに応じて、空調装置（20）を構成する冷媒回路の蒸発温度を制御するように構成され、
デマンド制御装置（10）は、デマンド制御レベルが最大レベルになると、空調装置（20）をサーモオフ運転モードに設定するように構成されていることを特徴とする空調システム。
【請求項３】
複数の空調負荷の合計使用電力量を制御するデマンド制御装置（10）を備えた空調システムであって、
冷媒回路を備えて主に室内の顕熱負荷を処理する空調装置（20）と、吸着部材（32，33）を備えて主に室内の潜熱負荷を処理する調湿装置（30）とを備え、
上記デマンド制御装置（10）は、複数のデマンド制御レベルに応じて、空調装置（20）を構成する冷媒回路の蒸発温度を制御するように構成され、
調湿装置（30）が換気運転モードの可能な調湿装置（30）により構成され、
デマンド制御装置（10）は、デマンド制御レベルが最大レベルになると、調湿装置（30）を換気運転モードに設定するように構成されていることを特徴とする空調システム。
【請求項４】
複数の空調負荷の合計使用電力量を制御するデマンド制御装置（10）を備えた空調システムであって、
冷媒回路を備えて主に室内の顕熱負荷を処理する空調装置（20）と、吸着部材（32，33）を備えて主に室内の潜熱負荷を処理する調湿装置（30）とを備え、
上記デマンド制御装置（10）は、複数のデマンド制御レベルに応じて、空調装置（20）を構成する冷媒回路の蒸発温度を制御するように構成され、
調湿装置（30）は、表面に吸着剤が担持された第１吸着熱交換器（32）及び第２吸着熱交換器（33）を有する冷媒回路と、室外空気が室内へ向かう第１の空気通路と、室内空気が室外へ向かう第２の空気通路とを備え、
上記冷媒回路は、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換え可能に構成され、
上記両空気通路は、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換え可能に構成されていることを特徴とする空調システム。
【請求項５】
請求項１から４の何れか１つにおいて、
デマンド制御装置（10）は、デマンド制御レベルが高くなるほど空調装置（20）の能力を低下させる制御を行うように構成されていることを特徴とする空調システム。
【手続補正２】
【補正対象書類名】明細書
【補正対象項目名】全文
【補正方法】変更
【補正の内容】
【発明の詳細な説明】
【技術分野】
【０００１】
本発明は、複数の空調負荷の合計使用電力量を制御するデマンド制御装置を備えた空調システムに関するものである。
【背景技術】
【０００２】
従来より、ビルなどの設備において省エネルギー化を図る装置として、ピーク電力が一定の枠を越えないように負荷の制御をするデマンド制御装置がある（例えば、特許文献１参照）。デマンド制御装置は、一般に、ある一定時間（一般には３０分）に使用される平均電力が、電力会社との間で定められた契約電力を越えないように負荷機器の運転を制御するもので、契約電力を越えそうな場合に負荷のピークカット指令を出す働きをして、ビル内の部屋ごとに空調装置（ビル用のマルチタイプの空調装置）や照明器具の能力制御を行う。
【０００３】
特許文献１のデマンド制御装置を備えた空調システムでは、空調負荷を、デマンド制御の対象とする第１負荷（会議室、事務所、来客室などに設置された空調装置）と、デマンド制御の対象にせずに省エネ制御を行う第２負荷（社長室、役員室、応接室などに設置された空調装置）とに区分して、制御を行うようにしている。第１負荷については、デマンド制御の制御レベルを８段階に設定するとともに、部屋ごとに制御の優先順位を定めている。そして、制御時点のデマンド（現在デマンド）から予測される単位時間の使用電力量に基づいてデマンド制御レベルを判定し、部屋ごとの優先順位に従って制御を行う。
【０００４】
具体的には、図４の表に示すように、デマンド制御レベルが低い場合（レベル１，２の場合）には、空調装置の室外機の能力制御（例えば圧縮機の能力を７０％に落とす制御）や室内機の運転台数制御を行い、デマンド制御レベルが少し高くなる（レベル３，４になる）と、室外機の能力をさらに（例えば４０％に）抑えながら室内機の運転台数制御を行う。また、デマンド制御レベルがなおも高くなる（レベル５〜７になる）と、部屋によっては室内機のオンオフ制御による設定温度のシフトも行い、最もデマンド制御レベルが高くなる（レベル８になる）と、室外機を停止して全部屋で強制サーモオフとして送風運転のみを行う。このように、特許文献１の空調システムでは、デマンド制御レベルが高くなるほど、強い電力抑制が行われる。
【０００５】
なお、この特許文献１の装置では、第２負荷については、消費電力の推移にかかわらず、運転状態が実質的に変化をしない程度に消費電力を低減する運転を行うようになっている。
【特許文献１】特開２００２−１４２３６０号公報
【発明の開示】
【発明が解決しようとする課題】
【０００６】
上記の空調システムでは、図５の表に示すように、デマンド制御レベル（電力の予想超過量）が低いときは、目標とする空調能力を概ね達成することができるものの、デマンド制御レベルが高くなると、目標電力を厳守するために快適性が犠牲になってしまう。
【０００７】
特に、ビル用のマルチタイプの空調装置は、一般に湿度制御が成り行きで行われるため、夏期に室内機のオンオフ制御による設定温度シフトを行うと湿度も大幅に上昇し、快適性が著しく低下する。
【０００８】
本発明は、かかる点に鑑みてなされたものであり、その目的は、複数の空調負荷の合計使用電力量を制御するデマンド制御装置を備えた空調システムにおいて、デマンド制御中の快適性を高めることである。
【課題を解決するための手段】
【０００９】
本発明は、複数の空調負荷の合計使用電力量を制御するデマンド制御装置（10）を備えた空調システムを前提としている。また、この空調システムは、冷媒回路を備えて主に室内の顕熱負荷を処理する空調装置（20）と、吸着部材（32，33）を備えて主に室内の潜熱負荷を処理する調湿装置（30）とを備え、上記デマンド制御装置（10）が、複数のデマンド制御レベルに応じて冷媒回路の蒸発温度を制御するように構成されている。
【００１０】
本発明では、室内の顕熱負荷が空調装置（20）で処理され、潜熱負荷が調湿装置（30）で処理される。そして、デマンド制御中には、デマンド制御レベルに応じて冷媒回路の蒸発温度が制御される。例えば、冷房運転時は、デマンド制御レベルが高くなるほど、蒸発温度を高めに設定することにより、消費電力量を抑える制御が行われる。一方、本発明では、このデマンド制御中も室内の潜熱負荷は調湿装置（30）により処理することができる。したがって、室内の湿度の上昇が抑えられる。
【００１１】
そして、第１の発明は、デマンド制御装置（10）が、デマンド制御中に、設定温度または室内温度に基づいて、所定の相対湿度が得られるように調湿装置（30）の運転制御を行うように構成されていることを特徴としている。
【００１２】
この第１の発明では、デマンド制御中には、室内の設定温度または実際の室内温度に基づいて、所定の相対湿度が得られるように調湿装置（30）の運転制御が行われる。例えば、室内の設定温度と実際の室内温度のうち、高い方の温度に基づいて、所定の相対湿度が得られるような運転制御が行われる。こうすると、室内の温度は上昇しても、室内の湿度が上昇するのは抑えられる。
【００１３】
第２の発明は、デマンド制御装置（10）が、デマンド制御レベルが最大レベルになると、空調装置（20）をサーモオフ運転モードに設定するように構成されていることを特徴としている。ここで、サーモオフ運転モードは、空調装置（20）の冷媒回路を停止させ、送風のみを行う運転のことである。
【００１４】
この第２の発明では、デマンド制御レベルが最大レベルになると、デマンド制御装置（10）により、空調装置（20）が強制的にサーモオフ運転モードに設定される。こうすることにより、消費電力量が増えるのをより確実に抑えることができる。また、デマンド制御レベルが最大レベルのときでも、調湿装置（30）で室内の潜熱負荷を処理することは可能である。したがって、この場合も室内の湿度が上昇するのを抑えることはできる。
【００１５】
第３の発明は、調湿装置（30）が換気運転モードの可能な調湿装置（30）により構成され、デマンド制御装置（10）が、デマンド制御レベルが最大レベルになると、調湿装置（30）を換気運転モードに設定するように構成されていることを特徴としている。
【００１６】
この第３の発明では、デマンド制御レベルが最大レベルになると、デマンド制御装置（10）により、調湿装置（30）が換気運転モードに設定される。換気のみを行うモードでは、湿度調節の制御が不要になるため、制御を簡単にすることができ、消費電力量を抑えられる。
【００１７】
第４の発明は、調湿装置（30）が、表面に吸着剤が担持された第１吸着熱交換器（32）及び第２吸着熱交換器（33）を有する冷媒回路と、室外空気が室内へ向かう第１の空気通路と、室内空気が室外へ向かう第２の空気通路とを備え、上記冷媒回路が、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換え可能に構成され、上記両空気通路が、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換え可能に構成されていることを特徴としている。
【００１８】
この第４の発明では、蒸発器となる吸着熱交換器（32，33）の吸着剤で空気中の水分を吸着して該空気を減湿し、凝縮器となる吸着熱交換器（33，32）で水分を吸着剤から空気中に放出して該吸着剤を再生することができる。したがって、例えば、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定すれば、室外空気を減湿して室内へ供給する除湿運転を連続して行うことができる。
【００１９】
第５の発明は、第１から第４の発明の何れか１つにおいて、デマンド制御装置（10）が、デマンド制御レベルが高くなるほど空調装置（20）の能力を低下させる制御を行うように構成されていることを特徴としている。この場合、例えばデマンド制御レベルが１段階上がるごとに、空調装置（20）における冷媒回路の蒸発温度を高くする制御と空調装置（20）の能力を低下させる制御の両方を行う必要はなく、デマンド制御レベルの１段階の変化の際に、空調装置（20）の能力は保ったまま蒸発温度のみを上昇させたり、逆に蒸発温度は保ったまま空調装置（20）の能力だけを低下させたりしてもよい。
【００２０】
この第５の発明では、デマンド制御レベルが高くなると、例えば可変容量圧縮機の運転容量を小さくすることにより、空調装置（20）の能力を低下させて、消費電力量を少なくする制御が行われる。一方、このデマンド制御中も室内の潜熱負荷は調湿装置（30）により処理できるので、室内の湿度が上昇するのは抑えられる。
【発明の効果】
【００２１】
本発明によれば、室内の顕熱負荷と潜熱負荷を空調装置（20）と調湿装置（30）で別々に処理するシステムにおいて、デマンド制御中には冷媒回路の蒸発温度を制御することで使用電力量を抑えるようにしており、このときにも室内の潜熱負荷は調湿装置（30）により処理することができる。したがって、室内の温度は上昇しても湿度の上昇を抑えることができるため、体感温度の上昇を抑えることができ、デマンド制御中の快適性を従来よりも高める（実際の温度よりも涼しく感じるようにする）ことが可能となる。
【００２２】
上記第１の発明によれば、デマンド制御中には、室内の設定温度または実際の室内温度に基づいて、所定の相対湿度が得られるように調湿装置（30）の運転制御が行われるので、室内の湿度の上昇を確実に抑えることができる。したがって、室内の快適性を従来よりも高めることが可能となる。
【００２３】
上記第２の発明によれば、デマンド制御レベルが最大レベルになると、空調装置（20）が強制的にサーモオフ運転モードに設定されるので、より確実に消費電力量の増大を抑えることができる。また、このときにも調湿装置（30）は運転を継続することが可能であるため、室内の快適性が大幅に低下することはない。
【００２４】
上記第３の発明によれば、デマンド制御レベルが最大レベルになると、調湿装置（30）が換気運転モードに設定される。換気のみを行うモードでは湿度調節の制御が不要であるため、制御を簡単にすることができ、消費電力量を抑えられる。また、空調装置（20）が停止しているときでも換気を継続することにより、室内の湿度が上昇しすぎることを防止できる。
【００２５】
上記第４の発明によれば、調湿装置（30）を、２つの吸着熱交換器（32，33）を有する冷媒回路と、室外空気が室内へ向かう第１の空気通路と、室内空気が室外へ向かう第２の空気通路とを備えた構成にするとともに、冷媒回路を第１の冷媒流通状態と第２の冷媒流通状態とに切り換え可能に構成し、両空気通路を第１の空気流通状態と第２の空気流通状態とに切り換え可能に構成している。したがって、例えば、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定することにより、室外空気を減湿して室内へ供給する除湿運転を連続して行うことができ、この運転を空調装置（20）の冷媒回路における蒸発温度制御と同時に行うことにより、室内の快適性が低下するのを抑えることができる。
【００２６】
上記第５の発明によれば、デマンド制御レベルが高くなるほど、空調装置（20）の能力を低下させる制御を行うようにしているので、消費電力量の増加をより確実に抑えることが可能となる。また、このデマンド制御中も室内の潜熱負荷を調湿装置（30）で処理できるため、室内の湿度の上昇を抑えて、快適性を従来よりも高めることが可能となる。
【発明を実施するための最良の形態】
【００２７】
以下、本発明の実施形態を図面に基づいて詳細に説明する。
【００２８】
図１に示すこの実施形態の空調システム（1）は、複数の空調負荷の合計使用電力量を制御するデマンド制御装置（10）を備えた空調システム（1）であって、主に室内の顕熱負荷を処理する空調装置（20）と、主に室内の潜熱負荷を処理する調湿装置（30）とを備えている。つまり、この空調システム（1）は、室内の顕熱負荷と潜熱負荷を別々に処理するシステムに構成されている。
【００２９】
空調装置（20）は、図示していないが蒸気圧縮式の冷凍サイクルを行う冷媒回路を備えている。この空調装置（20）は、図２に示すように、１台の室外機（21）に対して複数台の室内機（22）が接続された、いわゆるビル用マルチタイプの空調装置（20）である。
【００３０】
図２には、調湿装置（30）を、内部構造を表した状態の斜視図で示している。この調湿装置（30）は、換気運転モードの可能な調湿装置（30）であり、ケーシング（31）内に収納された２つの吸着部材（32，33）を有している。各吸着部材（32，33）は、空調装置（20）とは別の冷媒回路が有する２つの熱交換器（32，33）により構成されている。各吸着部材（32，33）は、具体的には、クロスフィン型のフィン・アンド・チューブ熱交換器の表面に吸着剤が担持されたもの（以下、第１吸着熱交換器（32）及び第２吸着熱交換器（33）という）により構成されている。
【００３１】
この調湿装置（30）の冷媒回路は、第１吸着熱交換器（32）が蒸発器となり、第２吸着熱交換器（33）が凝縮器となる第１の冷媒流通状態と、第２吸着熱交換器（33）が蒸発器となり、第１吸着熱交換器（32）が凝縮器となる第２の冷媒流通状態とを切り換えることが可能に構成されている。蒸発器となる吸着熱交換器（32，33）では、空気中の水分が吸着剤に吸着されることにより該空気が減湿され、凝縮器となる吸着熱交換器（33，32）では、吸着剤から空気中へ水分が放出されることにより該吸着剤が再生される。
【００３２】
上記調湿装置（30）は、詳細は図示していないが、ケーシング（31）内に、室外空気が室内へ向かう第１の空気通路と、室内空気が室外へ向かう第２の空気通路とを備えている。そして、両空気通路は、室外から室内へ向かう空気が第１吸着熱交換器（32）を通り、室内から室外へ向かう空気が第２吸着熱交換器（33）を通る第１の空気流通状態と、室外から室内へ向かう空気が第２吸着熱交換器（33）を通り、室内から室外へ向かう空気が第１吸着熱交換器（32）を通る第２の空気流通状態とを切り換えることができるように構成されている。
【００３３】
以上の構成により、この調湿装置（30）では、空気通路を第１の空気流通状態に切り換えたときに冷媒回路が第１の冷媒流通状態となり、空気の通路を第２の空気流通状態に切り換えたときに冷媒回路が第２の冷媒流通状態となるように設定すれば、室外空気を減湿して室内へ供給する除湿運転を連続して行うことができる。
【００３４】
デマンド制御装置（10）は、単位時間（一般に３０分）ごとに現在デマンドから予測される使用電力量に基づいてデマンド制御レベルを判定し、デマンド制御を行うものである。デマンド制御は、外気温度、外気湿度、室内温度、室内湿度、及び各部屋の条件によって定められる室内環境変数に基づいて、デマンド制御装置（10）で室内の顕熱負荷と潜熱負荷を算出し、空調装置（20）と調湿装置（30）を個別に制御することで行われる。なお、デマンド制御の際には、部屋別に優先順位を設けておいてもよい。
【００３５】
次に、デマンド制御の具体的な内容について説明する。
【００３６】
図２に示すように、上記デマンド制御装置（10）では、８段階のデマンド制御レベルが設定されている。そして、この８段階のデマンド制御レベルに応じて、空調装置（20）における冷媒回路の蒸発温度制御を行うように構成されている。詳しくは、デマンド制御を行わないときには蒸発温度を最低３℃に設定して運転を行うのに対して、デマンド制御レベルが１〜７の間は、デマンド制御レベルが高くなるほど蒸発温度を段階的に高くする制御を行う。また、デマンド制御レベルが最大のレベル８になると、空調装置（20）の冷媒回路を停止して、サーモオフ運転モード（送風運転モード）に設定する。
【００３７】
デマンド制御中、空調装置（20）に関しては、上記の蒸発温度制御に加えて、室外機（21）の能力制御も行う。具体的には、デマンド制御装置（10）は、デマンド制御レベルが高くなるほど空調装置（20）の室外機（21）の能力（可変容量圧縮機の運転容量）を低下させる制御を行う。図の例では、レベル１〜レベル５までは１００％の能力で運転を行う一方、レベル６では７０％、レベル７では４０％、そしてレベル８では０％に能力を制御するようにしている。
【００３８】
なお、図２の例では、例えばデマンド制御レベルがレベル５からレベル６へ移行するときに、冷媒回路の蒸発温度を１６℃から１８℃に上げる制御と室外機（21）の能力を１００％から７０％に低下させる制御の両方を行うようにしているが、その中間のレベルとして、蒸発温度は１６℃のままで室外機（21）の能力を７０％に落とす制御レベルを設けたり、逆にレベル１〜レベル５の間での制御レベルの移行時のように、室外機（21）の能力は１００％のままで蒸発温度を１８℃に上げる制御レベルを設けたりしてもよい。このことは、レベル６からレベル７への移行時などでも同様である。
【００３９】
調湿装置（30）は、デマンド制御を行わないときは、設定温度に対して室内の相対湿度を６０％にすることを目標として制御される。この制御は、調湿装置（30）の冷媒回路及び空気通路の切り換え時間の間隔を制御することにより実施できる。その理由は、吸着剤は吸着の初期段階では水分の吸着量が多く、時間が経つにつれて吸着量が減ってくる特性を有するため、上記の切り換えの時間間隔を短くすると吸着量の多い状態を維持して潜熱処理能力を高くすることができるからである。逆に言うと、上記の切り換えの時間間隔を長くすると潜熱処理能力を落とすこともできる。
【００４０】
上記調湿装置（30）は、デマンド制御のレベル１〜レベル７の間は、室内の設定温度と実際の室内温度（検出温度）のうち、高い方の温度で６０％の相対湿度が得られるように制御される。これは、室内温度が上昇しても湿度の上昇を抑えて快適性の低下を抑制するためである。この制御のため、調湿装置（30）における冷媒回路の蒸発温度や、空気通路の風量など、種々の運転条件が制御される。一方、デマンド制御レベルが最大のレベル８になると、調湿装置（30）の冷媒回路を停止し、換気運転モードでの運転が行われる。
【００４１】
このように、本実施形態の空調システム（1）の運転時には、デマンド制御装置（10）により、空調装置（20）と調湿装置（30）を別々に制御して、室内の顕熱負荷と潜熱負荷とが処理される。そして、現在デマンドにより予測される単位時間あたりの使用電力量に基づいてデマンド制御が行われるときには、そのデマンド制御レベルに応じて、空調装置（20）についての蒸発温度制御及び室外機能力制御と、調湿装置（30）についての目標湿度制御とが行われて、使用電力量を契約電力の範囲内に抑えながら快適性の維持が図られる。
【００４２】
特に、デマンド制御レベルが比較的低いとき（レベル１〜レベル５）には、空調装置（20）については蒸発温度制御のみが行われ、調湿装置（30）については目標湿度制御が行われる。したがって、室内温度は上昇しても湿度の上昇は抑えられるので、体感温度の上昇を抑えることで快適性の低下を抑制できる。
【００４３】
また、デマンド制御レベルが高くなったとき（レベル６〜レベル７）には、同時に室外機の能力制御も行われ、デマンド制御レベルが最大（レベル８）になったときには、空調装置（20）がサーモオフ運転モードになるとともに調湿装置（30）が換気運転モードになるので、電力使用量を確実に契約電力の範囲内に抑えられる。
【００４４】
−実施形態の効果−
以上説明したように、本実施形態によれば、室内の顕熱負荷と潜熱負荷を空調装置（20）と調湿装置（30）で別々に処理するシステムにおいて、デマンド制御中には、基本的に、冷媒回路の蒸発温度を制御することで使用電力量を抑えるようにしている。そして、このときにも室内の潜熱負荷の処理は調湿装置（30）により継続することができる。したがって、室内の温度は上昇しても湿度の上昇を抑えることができるため、図３の表に示すように、デマンド制御中の快適性が低下するのを抑えることができる。
【００４５】
また、デマンド制御レベルが高くなると、空調装置（20）の能力を低下させる制御を行うようにしているので、消費電力量の増加を確実に抑えることが可能となる。
【００４６】
さらに、このデマンド制御中には、室内の設定温度または実際の室内温度のうち、高い方の温度に基づいて、相対湿度が６０％になるように調湿装置（30）の運転制御が行われるので、室内の湿度の上昇を確実に抑えて快適性の維持を図ることができる。
【００４７】
また、デマンド制御レベルが最大レベルになると、空調装置（20）が強制的にサーモオフ運転モードに設定されるので、より確実に消費電力量の増大を抑えることができる。このときは、調湿装置（30）が換気運転モードに設定され、湿度調節のための制御が不要になるため、さらに消費電力量を抑えられるし、図３の表に示すように快適性の低下も抑えることができる。
【００４８】
《その他の実施形態》
上記実施形態については、以下のような構成としてもよい。
【００４９】
例えば、上記実施形態では、空調装置（20）を１台の室外機（21）と複数台の室内機（22）とからなるマルチタイプに構成しているが、空調装置（20）はマルチタイプに限らず、１台の室外機（21）と１台の室内機（22）とからなる、いわゆるペア機タイプであってもよい。
【００５０】
また、調湿装置（30）は、吸着部材（32，33）を冷却器（蒸発器）と加熱器（凝縮器）の機能も有する吸着熱交換器（32，33）で構成したタイプについて説明したが、吸着部材と冷却器及び加熱器を別々に設けたタイプのものであってもよい。さらに、調湿装置（30）は、吸着部材（32，33）としてペルチェ効果素子の表面と裏面に吸着剤を塗布したものを用い、ＤＣ電源の極性をプラスとマイナスに交互に切り換えることによって上記吸着剤で水分の吸脱着を行うタイプであってもよい。
【００５１】
また、上記実施形態では、デマンド制御レベルが最大のレベル８のときには調湿装置（30）を換気運転モードに設定するようにしているが、このレベル８のときにも、レベル１〜レベル７と同様に、室内の設定温度または実際の室内温度のうち、高い方の温度に基づいて、相対湿度が６０％になるように調湿装置（30）の運転制御を行うようにしてもよい。そうすることにより、室内の快適性を重視した運転を行うことができる。
【００５２】
その他にも、上記実施形態で説明したデマンド制御中における各制御レベルの具体的な制御内容は単なる例示であり、例えば、空調装置（20）についての蒸発温度制御の設定値や、室外機（21）の能力制御の設定値や、調湿装置（30）についての相対湿度の設定値などは、適宜変更してもよい。
【００５３】
なお、以上の実施形態は、本質的に好ましい例示であって、本発明、その適用物、あるいはその用途の範囲を制限することを意図するものではない。
【産業上の利用可能性】
【００５４】
以上説明したように、本発明は、複数の空調負荷の合計使用電力量を制御するデマンド制御装置を備えた空調システムについて有用である。
【図面の簡単な説明】
【００５５】
【図１】本発明の実施形態に係る空調システムの構成図である。
【図２】図１の空調システムにおける空調装置と調湿装置の運転制御を各デマンド制御レベルについて示した表である。
【図３】図１の空調システムにおけるデマンド制御レベルと快適性との関係を示す表である。
【図４】従来の空調システムにおける空調装置と調湿装置の運転制御を各デマンド制御レベルについて示した表である。
【図５】従来の空調システムにおけるデマンド制御レベルと快適性との関係を示す表である。
【符号の説明】
【００５６】
1   空調システム
10  デマンド制御装置
20  空調装置
30  調湿装置
32  第１吸着熱交換器（吸着部材）
33  第２吸着熱交換器（吸着部材）